(57)【要約】【課題】本発明は、ＬＥＤを使用した発光体と該発光体を取り囲んで配置した装飾体とからなって、該装飾体には陶器、磁器、硝子などの食器に適した材料より胴体を形成し、該胴体には透光孔を設け、発光体の光を前記透光孔にて外部に導くようにして利便性を高めようとしたものである。【解決手段】本発明は、装飾体としてムード照明を行うと共に、胴体の上部に食器に利用できる食器皿を設けたものである。【選択図】図３
2013052667.tif 000002
【特許請求の範囲】
【請求項１】
発光体と該発光体を外側周囲で取り囲んで配置した装飾体とから構成してなり、前記発光体はＬＥＤ発光素子より構成し、前記装飾体は陶器、磁器、硝子などの食器に適した材料より筒状の胴体に構成され、その周囲に前記発光体の光を透過するように配置し、前記胴体の上部には皿状体を設けたことを特徴とせる装飾装置。
【請求項２】
前記発光体はその外囲に暈し体を配置し、ＬＥＤ発光素子の光を暈し光として周囲に散光するようにした前記請求項１記載の装飾装置。
【請求項３】
前記装飾体は胴体に光を透過するよう図形、模様などの透過孔或いは肉薄部を設けたことを特徴とせる前記請求範囲１及び２記載の装飾装置。
【請求項４】
前記皿状体は前記装飾体の上部開口部分に着脱自在に設けたことを特徴とせる前記登録請求範囲１乃至３記載の装飾装置。
【請求項５】
前記皿状体には、その中央部に光の透過孔を設けたことを特徴とせる前記登録請求範囲１乃至４記載の装飾装置。
【発明の詳細な説明】
【技術分野】
【０００１】  本発明は、食卓等のテーブル上にあって使用者が宴会等の際にムードを伴う暈し照明によって雰囲気を醸し出すようにし、更に宴会時にはオードブルなどを載置する皿状体などの食器を備えた装飾装置に関するものである。
【背景技術】
【０００２】  従来、テーブル上に置いて食事時に食卓上にライトを点灯してムードアップを図るものとしては、ローソクを硝子の火屋と称する筒状カバーにて覆って周囲のムードを向上するものは古くから使用されている。【０００３】  また、前記ローソクに代えて照明用電球を、陶器、磁器や紙器などの筒状カバー内に配置し使用時には前記電球の点灯を行うようにした装飾装置は、先行技術文献の特開２００８−１２３９２３に示す如く一般に広く使用されている。
【先行技術文献】
【特許文献】
【０００４】
【特許文献１】  特開２００８−１２３９２３
【発明の概要】
【発明が解決しようとする課題】
【０００５】  上記従来の装置は何れもその目的には充分ではあるが、皿状体などの食器がないので、オードブル、おつまみ等を別の場所に置いて使用しなければならず利便性に問題があり、照明としても特別のムードを期待することが出来なかった。【０００６】  更には、装飾装置にはそれのみの効果しか期待できず、ローソク、電球にはムード照明を期待できない。また、前述の先行技術文献のように電球による照明では電源コードにより使用場所の制限があった。【０００７】  本発明は、このような課題を解決し、使用する空間を装飾体で装飾し更にはこれに加えて食器を利用して雰囲気の良好なる装飾装置を使用者の好みに応じて随時選択してアクセサリとして使用するものである。
【課題を解決するための手段】
【０００８】  本発明は、発光体と該発光体を外側周囲で取り囲んで配置した装飾体とから構成してなり、前記発光体はＬＥＤ発光素子より構成し、前記装飾体は陶器、磁器、硝子などの食器に適した材料より筒状の胴体に構成され、その周囲に前記発光体の光を透過するように配置し、前記胴体の上部には皿状体を設けたことを特徴としている。【０００９】  前記発光体はその外囲に暈し体を配置し、ＬＥＤ発光素子の光を暈し光として周囲に散光するようにしたことを特徴とするものである。【００１０】  更に、前記装飾体は胴体に光を透過するよう図形、模様、などの透過孔或いは肉薄部を設けたことを特徴とするものである。【００１１】  また、前記皿状体は前記装飾体の上部開口部分に着脱自在に設けたことを特徴とするものである。【００１２】  更には、前記皿状体には、その中央部に光の透過孔を設けたことを特徴としたものである。
【発明の効果】
【００１３】  本発明によれば、発光体と該発光体を外側周囲で取り囲んで配置した装飾体とから構成してなり、前記発光体はＬＥＤ発光素子より構成し、前記装飾体は陶器、磁器、硝子などの食器に適した材料より筒状の胴体に構成され、その周囲に前記発光体の光を透過するように配置し、前記胴体の上部には皿状体を設けたものであって、この装飾装置を食事の際に食卓上に設置することによって、食卓上を暈し照明にするとともに、皿状体に料理を盛り付けて利用するようにしたものである。特にオードブルなどの簡単な料理、おつまみなどに利用しやすくしている。【００１４】  本発明によれば、発光体はＬＥＤ発光素子を使用することによって電源として電池を利用するので、持ち運びが自由で設置場所に何ら影響されることなく利用することができる。【００１５】  本発明によれば、前記装飾体は胴体に光を透過するように図形、模様などの透過孔或いは肉薄部を設けたことによりＬＥＤ発光素子からの光を適度な制限を加えて周囲の使用者に美しい灯りとして提供する。【００１６】  本発明によれば、皿状体は、前記装飾体の上部開口部分に着脱自在に設けたので、使用者の好みの食品、料理、果物などを戴せて食用に供することが出来、簡単に取り外して洗浄も可能にする。また、使用者は周囲の何れの位置からでも自由に利用することが出来る。【００１７】  本発明によれば、皿状体には、その中央部に光の透過孔を設けたので、使用する部屋の照明が全体に暗くなっても皿状体の上面部分を照射して皿状体に盛り付けた料理、果物などを間違いなく取り出して食用に供することが出来る。
【図面の簡単な説明】
【００１８】
【図１】  図１は本発明の基本実施例を示す装飾装置の縦断面図である。
【図２】  図２は図１の変形実施例の要部拡大断面図である。
【図３】  図３は図２の他の実施例を示す装飾装置の縦断面図である。
【図４】  図４は図３の他の実施例を示し皿状体に透過孔を突出させた装飾装置の縦断面図である。
【発明を実施するための形態】
【００１９】  本発明の装飾装置を実施例に基き図面を参照して説明を行う。
図１は、本発明の装飾装置の基本形態の断面図を示しており、図２乃至図４を展開して説明を述べる。
【００２０】  本発明は、発光体１と、該発光体をその外側周囲で取り囲んで被覆せる装飾体２と、該装飾体の頂部に設けた皿状体３とより構成されている。
【００２１】  前記発光体１は、基台４、該基台に設けた押しボタンスイッチ５、該スイッチに接続さ  れ点滅されるＬＥＤ発光素子６、該発光素子に給電する電池７とから構成している。
【００２２】  前記ＬＥＤ素子６は図１の実施例では、基板８に装着されて周方向に等間隔に４個配設されており、前記光透過孔６に臨んで光が外方に横向きに出るように取り付けられる。
９は底板１０と囲い筒１１とからなる透明の保護ボックスで電池ケース１２を内蔵し上部開口部に蓋体１３を設けている。
【００２３】  また、図２乃至図４の実施例では、同じく基板８に複数のＬＥＤ発光素子６が上向きに装着され、上方向に照射される。
前記ＬＥＤ発光素子６は基板８上に複数個戴置され、これらを囲んで内面に凹凸面１４を形成された透明の光拡散筒１５を設けている。
【００２４】  １６は光の暈し体であって、図１の実施例では発光体１を被覆して装着し、図２乃至４の実施例ではドーム状にしてその開口部を前記基台４に契合して装着され、ＬＥＤ発光素子の光を周囲と上方に照射するように配置する。
【００２５】  前記皿状体３は筒状の胴体１６と同じ材料が好ましく、食器に適した陶器、磁器、硝子などが利用される。
【００２６】  前記皿状体３は円盤状にして底面に高台１７を設け、この高台を胴体１６の上部開口部１８に着脱自在に嵌合する。
【００２７】  皿状体３の中央部には、光の透過孔１９を有するドーム形の突起体２０を設けている。この光の透過孔１９からの光は直接皿状体３の上面を照射する。
【００２８】  前記装飾体３は胴体１６に光を透過する図形、模様などの透光孔２１を設け、図形、模様の光を醸し出す。この透光孔２１は胴体１６に一部に模様、図形となる肉薄部によって同等な効果を発揮する。
【００２９】  前記装飾体２は、図１、図３、図４に示すとおり底部に透孔２２を設け、この透孔に前記光源ユニット１を配置して、該ユニットを装飾体２の内側に位置させる。
【００３０】  前記装飾体２は、図２に示すとおり底壁２３を有し、該底壁の内側に前記光源ユニット１を戴架させる。
【００３１】  図２乃至図４には、光の暈し体１６を設けているが、これは色彩を有する硫酸紙或いはこれに類する紙質ある意派フイルム状シートなどのものが好適であるが、前記光拡散筒１５を色彩の考慮した暈し機能を備えればこの光拡散筒１５が光の暈し体１６を兼ねることができる。
【発明の効果】
【００３２】  請求項１に係る発明においては、ＬＥＤ発光素子よりなる発光体と陶器、磁器、硝子などの食器に適した材料よりなる装飾体と装飾体に設けた皿状体とより構成しているので卓上において使用して美しい灯りを醸し出し、併せて食器機能を有効に活用することが出来る。
【００３３】  請求項２に係る発明においては、前記装飾体の照明効果を暈し機能を発揮することが出来る。
【００３４】  請求項３に係る発明においては、被覆体の透過孔による光の暈し効果でムード照明により照明効果を醸し出すことが出来る。
【００３５】  請求項４に係る発明においては、皿状体は装飾体に着脱契合をして利用するので、使用後は食事のあとの洗浄も便利に行うことができる。
【００３６】  請求項５に係る発明においては、皿状体の上方を照射する透過孔を設けたので、皿状体の料理、オードブルなどを照明によって食欲の向上効果を招くことが出来る。
以下、本発明の具体例を実施例及び図面を用いて詳細に説明する。
【００３７】  本発明の第１の実施例に係るものは、図４に示すように食器皿と装飾体が一体に構成されて、装飾体の内部に光源ユニットを位置させている。
【００３８】  本発明の第２の実施例に係るものは、図１、図２、図３に示すように食器皿と装飾体が別体に構成されて、装飾体の内部に光源ユニットを位置される。
【００３９】  本発明の第３の実施例に係るものは、光源ユニットに被覆体を暈し効果の出る材料で構成したものである。
【産業上の利用可能性】
【００４０】  本発明はＬＥＤ発光素子の特徴を生かし利用者の近くのテーブルをムード照明と食器皿に盛り合わせた料理の照明との組み合わせによって効果的な使用を行うことができる。
【符号の説明】
【００４１】１      発光体
２      装飾体
３      皿状体
４      基台
５      押しボタンスイッチ
６      ＬＥＤ発光素子
７      電池
８      基板
９      保護ボックス
１０    底板
１１    囲いボックス
１２    電池ケース
１３    蓋体
１４    凹凸面
１５    光拡散筒
１６    光の暈し体
１７    高台
１８    上部開口部
１９    光の透過孔
２０    突起体
２１    透光孔
２２    透孔
２３    底壁
【図１】
2013052667.tif 000003
【図２】
2013052667.tif 000004
【図３】
2013052667.tif 000005
【図４】
2013052667.tif 000006